(57)【要約】【課題】制御ケーブルを懸垂しているワイヤロープを交換する際に、制御ケーブルの交換を必要とせず、その交換を短時間、低コストで実現するエレベータの制御ケーブル装置を得る。【解決手段】撚り方向の互いに異なるワイヤロープを有する制御ケーブルと、この制御ケーブルから取り出された撚り方向の互いに異なるワイヤロープの各々の端部をその下部において締結固定する少なくとも２個の連結具と、この各連結具の上部において両端部をそれぞれ締結固定され、その中央部をかご床に設けられた懸垂部に巻き掛けることにより制御ケーブルを懸垂する追加ワイヤロープとを備える。【選択図】  図１
2004338935.tif 000002
【特許請求の範囲】
【請求項１】
かご床に設けられた懸垂部に、制御ケーブルから取り出された撚り方向の互いに異なるワイヤロープを用いて懸架されるエレベータの制御ケーブル装置において、撚り方向の互いに異なるワイヤロープを有する制御ケーブルと、この制御ケーブルから取り出された撚り方向の互いに異なる前記ワイヤロープの各々の端部をその下部において締結固定する少なくとも２個の連結具と、この各連結具の上部において両端部をそれぞれ締結固定され、その中央部をかご床に設けられた前記懸垂部に巻き掛けることにより前記制御ケーブルを懸垂する追加ワイヤロープとを備えたことを特徴とするエレベータの制御ケーブル装置
【請求項２】
上下両端部にワイヤロープが連結された連結具の回転を防止するために、この連結具の中央部に設けられた捻回防止具を備えたことを特徴とする請求項１記載のエレベータの制御ケーブル装置
【請求項３】
２個の連結具のうちの一方は中央部に中空部を備えており、この連結具の中空部を貫通して他方の連結具に固定された捻回防止具を備えたことを特徴とする請求項２記載のエレベータの制御ケーブル装置
【請求項４】
複数本の追加ワイヤロープを備えたことを特徴とする請求項１〜請求項３のいずれかに記載のエレベータの制御ケーブル装置
【請求項５】
かご床に設けられた懸垂部に、制御ケーブルから取り出された撚り方向の互いに異なるワイヤロープを用いて懸架されるエレベータの制御ケーブル装置において、撚り方向の互いに異なるワイヤロープを有する制御ケーブルと、この制御ケーブルから取り出された撚り方向の互いに異なる前記ワイヤロープの各々の端部をその下部において締結固定する少なくとも２個の連結具と、この各連結具の上部において両端部をそれぞれ締結固定され、その中央部をかご床に設けられた前記懸垂部に巻き掛けることにより前記制御ケーブルを懸垂する追加ワイヤロープと、前記懸垂部に固定され、前記追加ワイヤロープが断線した時に前記連結具を支持することによって前記制御ケーブルの落下を防止する脱落防止具とを備えたことを特徴とするエレベータの制御ケーブル装置
【請求項６】
脱落防止具は、上下両端部にワイヤロープが連結された連結具の回転を防止する捻回防止具の機能を兼ねたことを特徴とする請求項５記載のエレベータの制御ケーブル装置
【請求項７】
脱落防止具は、中央部に中空部を有する２個の連結具のそれぞれの中空部を貫通し、かご床に設けられた懸垂部に固定されたことを特徴とする請求項６記載のエレベータの制御ケーブル装置
【発明の詳細な説明】
【０００１】
【発明の属する技術分野】
この発明は、エレベータの制御ケーブルを懸垂する装置に関するものである。
【０００２】
【従来の技術】
かご床に一端が連結され他端が建築物側に連結される制御ケーブルの長手方向に、撚り方向の互いに異なるワイヤロープを挿通した従来のエレベータの制御ケーブル装置において、撚り方向の互いに異なるワイヤロープのうち一方のワイヤロープを巻き掛けて吊り下げるワイヤロープ懸垂手段と、巻き掛けて吊り下げられた一方のワイヤロープと他方のワイヤロープとの各々の端部を重ねて連結するワイヤロープ連結部と、連結した側のワイヤロープの回転を防止する回転防止手段とを備えたものがある。（例えば、特許文献１参照）
【０００３】
【特許文献１】
特開平９−１３２３６６号公報
【０００４】
【発明が解決しようとする課題】
このように構成されたエレベータの制御ケーブル装置では、建築物の高層化に伴いエレベータの昇降行程が長くなると、エレベータの昇降によってワイヤロープの懸垂部分に生じる制御ケーブル自体の荷重変動が大きくなる。この制御ケーブルの荷重変動が起こると、かご床及び建築物の懸垂手段に巻き掛けられたワイヤロープの一方に生じる繰り返し曲げ応力と、撚り方向の互いに異なるワイヤロープの各々の端部が重ねられて連結されているワイヤロープ連結部での捻回によって生じる繰り返しねじり応力とが原因で、ワイヤロープの疲労寿命が低減し断線するという問題があった。ワイヤロープが断線した場合には、特許文献１記載のエレベータの制御ケーブル装置も同様に、制御ケーブルの交換が必要となる。この交換には、多大な作業時間と作業費、部品費などのコストが掛かることから、客先及び使用者に迷惑をかけることとなっていた。
【０００５】
この発明は上述のような課題を解決するためになされたもので、その目的は制御ケーブルを懸垂させているワイヤロープを交換する場合に、制御ケーブルの交換を必要とせず、その交換を短時間、低コストで実現するエレベータの制御ケーブル装置を提供することである。
【０００６】
【課題を解決するための手段】
この発明に係るエレベータの制御ケーブル装置は、撚り方向の互いに異なるワイヤロープを有する制御ケーブルと、この制御ケーブルから取り出された撚り方向の互いに異なるワイヤロープの各々の端部をその下部において締結固定する少なくとも２個の連結具と、この各連結具の上部において両端部をそれぞれ締結固定され、その中央部をかご床に設けられた懸垂部に巻き掛けることにより制御ケーブルを懸垂する追加ワイヤロープとを備えたものである。
【０００７】
【発明の実施の形態】
実施の形態１．
図１はこの発明の実施の形態１におけるエレベータの制御ケーブル装置を示す正面図、図２は平面図、図３は側面図、図４は図１のＡ−Ａ断面図、図５は連結具を示す斜視図である。図において、かご床及び建築物に取り付けられたケーブル吊手３に挿入されている軸１にはカラー２が支持されており、このカラー２の外周部に設けられた溝部に、後述するＳ撚り追加ワイヤロープ１１が巻き掛けられている。また、図５に示すように、制御ケーブル１０から取り出された撚り方向の互いに異なるワイヤロープ６及び７と後述するＳ撚り追加ワイヤロープ１１とを締結固定するための連結具であるシンブル１３ａ及び１３ｂは、２枚の長方形の繋ぎ板１２を所定の間隙を形成するように対向させ、長手方向の上下両端部にそれぞれ軸１４が連結固定されており、その中央部には２枚の繋ぎ板１２と２つの軸１４とで四方を囲まれている中空部が形成されている。制御ケーブル１０から取り出されたＳ撚りワイヤロープ６はこのシンブル１３ａの下方の軸１４に、また制御ケーブル１０から取り出されたＺ撚りワイヤロープ７はシンブル１３ｂの下方の軸１４にそれぞれ巻き掛けられ、ワイヤクリップ９で締結固定されている。シンブル１３ａ及び１３ｂの上方の軸１４には、Ｓ撚り追加ワイヤロープ１１の各端部がそれぞれ巻き掛けられてワイヤクリップ９で締結固定されている。そして、そのＳ撚り追加ワイヤロープ１１の中間部を上記カラー２の外周部に設けられた溝部に巻き掛けることにより、制御ケーブル１０全体を懸垂している。また、図４に示すように、捻回防止具８はシンブル１３ａの中央部に形成された中空部を通って、その一端がシンブル１３ｂの繋ぎ板１２にボルト１７によって固定されている。このとき捻回防止具８は、シンブル１３ａの対向している繋ぎ板１２によって形成された空間の幅より薄くなっているため、シンブル１３ａと捻回防止具８との間には空隙が設けられており、シンブル１３ａとシンブル１３ｂは相対的に上下動することが可能である。捻回防止具８の他端には、捻回防止具８がシンブル１３ａの中央部に形成された中空部から抜けないように、座板１９がボルト１８によって固定されている。
【０００８】
この発明の実施の形態１によれば、シンブル１３ａ及び１３ｂの上方の軸１４に連結されたＳ撚り追加ワイヤロープ１１は、制御ケーブル１０から取り出されたＳ撚りワイヤロープ６及びＺ撚りワイヤロープ７から独立しているため、容易に取替えが可能であり、カラー２の部分で生じる繰り返し曲げ応力によってＳ撚り追加ワイヤロープ１１の寿命が低下しても、Ｓ撚り追加ワイヤロープ１１のみの交換で制御ケーブル１０の延命が可能となる。また、Ｓ撚り追加ワイヤロープ１１は容易に取替え可能であることから、カラー２の径を小さくすること及び従来の制御ケーブル装置にあるロープ間隔矯正手段を省くことが可能であり、建築物またはかご床に配置された制御ケーブル装置全体を小さくすることができるため、昇降路の省スペースに有利な構造となる。
【０００９】
また、接続されたワイヤロープの中間部で捻回防止具８を配置することができるため、制御ケーブル１０の荷重変動によるＳ撚り追加ワイヤロープ１１とＺ撚りワイヤロープ７とに生じる捻回をほぼ完全に無くすことができ、ワイヤロープの疲労寿命を大幅に伸ばすことが可能となる。
【００１０】
実施の形態２．
図６は、この発明の実施の形態２におけるエレベータの制御ケーブル装置を示す正面図、図７は平面図、図８は側面図である。図に示すように、ストッパー１６は、シンブル１３ａ及び１３ｂの中央部に形成された中空部を通り、その両端部は、上端部をケーブル吊手３に固定されている２つのストッパー腕１５の下端部にそれぞれ固定されている。このとき、実施の形態１でのシンブル１３ａと捻回防止具８との関係と同様に、ストッパー１６がシンブル１３ａと１３ｂの中央部に形成された中空部を通過する部分では、ストッパー１６とシンブル１３ａ及び１３ｂとの間には空隙が設けられているため、シンブル１３ａ及び１３ｂはストッパー１６に対して上下動することが可能である。その他の部分は、実施の形態１と同様の構成となっている。
【００１１】
この場合は、カラー２の部分で生じる繰り返し曲げ応力によりＳ撚り追加ワイヤロープ１１が断線したときでも、シンブル１３ａ及び１３ｂの上方の軸１４が、ストッパー腕１５を介してケーブル吊手３に固定されたストッパー１６によって掛止されるので、制御ケーブル１０の脱落を防止することができる。このため、制御ケーブル１０の交換を必要とせずに、断線したＳ撚り追加ワイヤロープ１１の交換を容易に行うことが可能となる。また、ストッパー１６が実施の形態１の捻回防止具８の役割を果たすため、Ｓ撚り追加ワイヤロープ１１とＺ撚りワイヤロープ７に生じる捻回をほぼ完全に無くすことができ、ワイヤロープの疲労寿命を大幅に伸ばすことが可能となる。
【００１２】
実施の形態３．（実施の形態３の構成）
図９は、この発明の実施の形態３におけるエレベータの制御ケーブル装置を示す正面図、図１０は平面図、図１１は側面図、図１２は連結具を示す斜視図である。実施の形態１では、シンブル１３ａ及び１３ｂはそれぞれ２枚の繋ぎ板１２と軸１４で構成されていたが、この実施の形態３においては、図１２に示すようにシンブル１３ａ及び１３ｂは４枚の長方形の繋ぎ板１２をそれぞれ所定の間隔を形成するように対向させ、長手方向の上下両端部にそれぞれ軸１４が連結固定されており、その中央部には繋ぎ板１２と軸１４とで四方を囲まれている３つの中空部が形成されている。図において、制御ケーブル１０から取り出されたＳ撚りワイヤロープ６はこのシンブル１３ａの下方の軸１４の中央部に、また制御ケーブル１０から取り出されたＺ撚りワイヤロープ７はシンブル１３ｂの下方の軸１４の中央部にそれぞれ巻き掛けられ、ワイヤクリップ９で締結固定されている。シンブル１３ａの上方の軸１４の両側部には、２本のＳ撚り追加ワイヤロープ１１の一端がそれぞれ巻き掛けられてワイヤクリップ９で締結固定され、シンブル１３ｂの上方の軸１４の両側部に２本のＳ撚り追加ワイヤロープ１１の他端がそれぞれ巻き掛けられてワイヤクリップ９で締結固定されている。そして、この２本のＳ撚り追加ワイヤロープ１１のそれぞれの中央部をカラー２の外周部に設けられた溝部に巻き掛けることにより、制御ケーブル１０全体を２本のＳ撚り追加ワイヤロープ１１で懸垂している。また、その他は実施の形態１と同じ構成となっている。
【００１３】
この場合には、制御ケーブル１０を２本のＳ撚り追加ワイヤロープ１１で懸垂しているため、１本当たりに掛かる荷重を低減し、カラー２の部分で生じる繰り返し曲げ応力を低減することができる。また、カラー２に巻き掛けられた２本のＳ撚り追加ワイヤロープ１１のうち１本が断線した場合でも、他方のＳ撚り追加ワイヤロープ１１により制御ケーブル１０の脱落を防止することができ、制御ケーブル１０の交換を必要とせずに断線した片方のＳ撚り追加ワイヤロープ１１の交換を容易に行うことができる。また、実施の形態１と同様に、接続されたワイヤロープの中央で捻回防止具８を配置することができるため、Ｓ撚り追加ワイヤロープ１１とＺ撚りワイヤロープ７に生じる捻回をほぼ完全に無くすことができ、ワイヤロープの疲労寿命を大幅に伸ばすことが可能となる。
【００１４】
【発明の効果】
この発明は以上説明したように、撚り方向の互いに異なるワイヤロープを有する制御ケーブルと、この制御ケーブルから取り出された撚り方向の互いに異なるワイヤロープの各々の端部をその下部において締結固定する少なくとも２個の連結具と、この各連結具の上部において両端部をそれぞれ締結固定され、その中央部をかご床に設けられた懸垂部に巻き掛けることにより制御ケーブルを懸垂する追加ワイヤロープとを備えた構成としたことで、制御ケーブルを懸架させている追加ワイヤロープを交換する場合に、制御ケーブルの交換を必要とせず、その交換を短時間、低予算で実現することが可能となる。
【図面の簡単な説明】
【図１】この発明の実施の形態１におけるエレベータの制御ケーブル装置を示す正面図である。
【図２】図１のエレベータの制御ケーブル装置を示す平面図である。
【図３】図１のエレベータの制御ケーブル装置を示す側面図である。
【図４】図１のＡ−Ａ断面図である。
【図５】図１の連結具を示す斜視図である。
【図６】この発明の実施の形態２におけるエレベータの制御ケーブル装置を示す正面図である。
【図７】図６のエレベータの制御ケーブル装置を示す平面図である。
【図８】図６のエレベータの制御ケーブル装置を示す側面図である。
【図９】この発明の実施の形態３におけるエレベータの制御ケーブル装置を示す正面図である。
【図１０】図９のエレベータの制御ケーブル装置を示す平面図である。
【図１１】図９のエレベータの制御ケーブル装置を示す側面図である。
【図１２】図９の連結具を示す斜視図である。
【符号の説明】
１  軸
２  カラー
３  ケーブル吊手
６  Ｓ撚りワイヤロープ
７  Ｚ撚りワイヤロープ
８  捻回防止具
９  ワイヤクリップ
１０  制御ケーブル
１１  Ｓ撚り追加ワイヤロープ
１２  繋ぎ板
１３ａ，１３ｂ  シンブル
１４  軸
１５  ストッパー腕
１６  ストッパー
１７、１８  ボルト
１９  座板
【図１】
2004338935.tif 000003
【図２】
2004338935.tif 000004
【図３】
2004338935.tif 000005
【図４】
2004338935.tif 000006
【図５】
2004338935.tif 000007
【図６】
2004338935.tif 000008
【図７】
2004338935.tif 000009
【図８】
2004338935.tif 000010
【図９】
2004338935.tif 000011
【図１０】
2004338935.tif 000012
【図１１】
2004338935.tif 000013
【図１２】
2004338935.tif 000014